(57)【要約】【課題】  複数の項目からなる検索式に基づいた件数出力の特許マップ表示が可能となり、当該マップ上で特許情報の複雑かつ高度な技術内容を一目で把握できて、分析作業の能率向上と信頼性の向上等を図り得る特許マップ表示装置を提供する。【解決手段】  少なくとも入力手段と表示手段を有し、入力手段で入力された検索式に基づいて作成された特許マップを表示手段に表示し得る特許マップ表示装置であって、入力手段で入力される検索式が複数の検索項目を論理式で組み合わせて構成され、該検索式に基づく検索件数が表示手段上でマトリクスマップやランキングマップ等の所定位置に所定形態で表示されることを特徴とする。【選択図】  図２
2005165860.tif 000002
【特許請求の範囲】
【請求項１】
少なくとも入力手段と表示手段を有し、前記入力手段で入力された検索式に基づいて作成された特許マップを前記表示手段に表示し得る特許マップ表示装置であって、
前記入力手段で入力される検索式が複数の検索項目の組み合わせで構成され、該検索式に基づく検索件数等が前記表示手段に所定形態で表示されることを特徴とする特許マップ表示装置。
【請求項２】
前記特許マップがマトリクスマップ、ランキンググマップ、時系列マップのいずれかであり、その軸に複数の検索項目からなる検索式が指定されていることを特徴とする請求項１に記載の特許マップ表示装置。
【請求項３】
前記検索式は、複数の検索項目の論理式で構成されていることを特徴とする請求項１または２に記載の特許マップ表示装置。
【発明の詳細な説明】
【技術分野】
【０００１】
本発明は、特許情報群の中から例えば検索式に基づいて抽出された特許情報を分析することにより作成された特許マップを表示等し得る特許マップ表示装置に関する。
【背景技術】
【０００２】
一般的に、特許庁から発行されるＣＤ−ＲＯＭ特許公報等の特許情報を分析する場合、特許情報群の中から、所定の検索式に基づいて対象特許情報を抽出すると共に、この抽出した対象特許情報に基づいて作成された各種の特許マップを画面上に表示する特許マップ表示装置が使用されている。
【０００３】
従来、この特許マップ表示装置で表示される特許マップのうち、マトリクスマップとしては、例えば図４に示すように、縦軸にＩＰＣ分類を指定すると共に横軸にキーワードを指定し、各マス目１０１ａ内に縦軸のＩＰＣ分類と横軸のキーワードをＡＮＤ検索した集計結果である出願件数が、円１０２の大きさ（面積）で表示されるものが使用されている。なお、この種の特許文献としては、例えば特許文献１及び特許文献２に開示のものが知られている。
【特許文献１】特開平８−２２１４３５号公報
【特許文献２】特開２００２−１７５３１４号公報
【発明の開示】
【発明が解決しようとする課題】
【０００４】
しかしながら、このような特許マップにおいては、マトリクスマップ１０１の各マス目１０１ａに、縦軸１個のＩＰＣ分類と横軸１個のキーワードに対応した出願件数が円１０２として表示されるのみであるため、単純な一対一の項目の組み合わせからなる技術内容の把握しかできず、例えば複数のＩＰＣと複数のキーワードを組み合わせた複雑で高度な技術内容を表示することが困難なため行われていなかった。その結果、複雑かつ高度な技術内容の把握には、別途手作業による分析作業が必要となって、特許情報の分析作業が面倒であると共に、能率や信頼性の面で劣るという問題点を有している。
【０００５】
本発明は、このような事情に鑑みてなされたもので、その目的は、複数の項目からなる検索式に基づいた件数出力の特許マップ表示が可能となり、当該マップ上で特許情報の複雑かつ高度な技術内容を一目で把握できて、分析作業の能率向上と分析結果の信頼性の向上等を図り得る特許マップ表示装置を提供することにある。
【課題を解決するための手段】
【０００６】
かかる目的を達成すべく、本発明のうち請求項１に記載の発明は、少なくとも入力手段と表示手段を有し、前記入力手段で入力された検索式に基づいて作成された特許マップを前記表示手段に表示し得る特許マップ表示装置であって、前記入力手段で入力される検索式が複数の検索項目の組み合わせで構成され、該検索式に基づく検索件数等が前記表示手段に所定形態で表示されることを特徴とする。
【０００７】
また、請求項２に記載の発明は、前記特許マップがマトリクスマップ、ランキンググマップ、時系列マップのいずれかであり、その軸に複数の検索項目からなる検索式が指定されていることを特徴とする。さらに、請求項３に記載の発明は、前記検索式が、複数の検索項目の論理式で構成されていることを特徴とする。
【発明の効果】
【０００８】
請求項１に記載の発明によれば、特許マップの軸等に複数の検索項目の組み合わせからなる検索式が指定されるため、例えば複数の検索項目に対する検索件数やそのデータ等の検索結果を特許マップ上に表示できて、複雑かつ高度な技術内容の把握が一目で行えると共に、検索式を指定するたけで、特許マップの表示等が自動的に行われることから、特許情報の分析作業の能率向上や分析結果の信頼性向上等を図ることができる。
【０００９】
また、請求項２に記載に発明によれば、請求項１に記載の発明の効果に加え、特許マップとしてのマトリクスマップやランキングマップあるいは時系列マップ等が使用され、その所定の軸に複数の検索項目の組み合わせからなる検索式が指定されるため、複雑かつ高度な技術内容の把握を最適形態のマップで効率良く行うことができる。
【００１０】
さらに、請求項３に記載の発明によれば、請求項１または２に記載の発明の効果に加え、検索式が複数の検索項目のＡＮＤ、ＯＲ、ＮＯＴ等の論理式の組み合わせで構成されているため、把握したい技術内容に応じて的確な論理式を使用してマップ表示できて、複雑かつ高度な技術内容の把握を一層効率的に行うことができる。
【発明を実施するための最良の形態】
【００１１】
以下、本発明の実施の形態を図面に基づいて詳細に説明する。
図１〜図３は、本発明に係わる特許マップ表示装置を例えばパソコンを使用して構築した場合の一実施形態を示し、図１がそのブロック図、図２がマトリクスマップの表示状態の説明図、図３がランキングマップの表示状態の説明図である。
【００１２】
図１において、特許マップ表示装置１は、ＣＰＵ３、ＲＡＭ４、ＲＯＭ５及びＩ／Ｏ６等がバスライン７を介して接続された制御装置２を有し、この制御装置２のＩ／Ｏ６の入力側には、入力手段としてのキーボード８及びマウス９と、ＭＯドライブ等を含むＣＤ−ＲＯＭ等ドライブ１０が接続され、Ｉ／Ｏ６の出力側には、表示手段としてのＣＲＴ（液晶ディスプレイを含む）からなる表示器１１と、プリンタ１２等が接続されている。
【００１３】
そして、この特許マップ表示装置１は、ＣＤ−ＲＯＭ等ドライブ１０で予め読み込まれて制御装置２のＲＯＭ５に記憶されているプログラムに基づいて、ＣＤ−ＲＯＭ等ドライブ１０にセットされている例えばＣＤ−ＲＯＭ特許公報の特許情報が、キーボード８やマウス９で入力された検索式等の条件に基づいて検索（抽出）され、この抽出された各種特許情報が制御装置２のＣＰＵ３に読み込まれてデータ集計されて後述する特許マップが作成され、この特許マップが表示器１１に出力されてその画面１１ａに表示されたり、あるいはプリンタ１２で印刷されるようになっている。
【００１４】
図２及び図３は、この特許マップ表示装置１で作成された特許マップのそれぞれ具体的な表示状態を示しており、以下、これについて説明する。先ず、各特許マップの作成・表示にあたっては、前記プログラムに基づき表示器１１上に表示される所定の入力画面によって、特許マップを作成する際に必要な、特許マップの形態、縦軸や横軸等の各軸の指定項目等の入力条件が入力設定される。この時、入力画面の図示しない指定項目入力欄は、複数の指定項目とこれら組み合わせるための論理記号が直接入力もしくは選択入力され得るように構成されており、この指定項目入力欄により、特許マップの各軸に複数の指定項目の組み合わせもしくは一つの指定項目が指定されることになる。
【００１５】
そして、表示器１１の入力画面で所定入力を完了し、同入力画面に設けられた作成表示キー（図示せず）をクリックすると、前記制御装置２によって入力条件に対応した対象特許情報が抽出されてその件数が集計され、指定された特許マップの形態がマトリクスマップの場合は、例えば図２に示すようなマトリクスマップ１３が作成されて、表示器１１の画面１１ａ上に表示される。
【００１６】
すなわち、マトリクスマップ１３は、縦軸として２個のＩＰＣ分類のＡＮＤで組み合わされた検索式２−１〜２−ｉ（例えばＩＰＣ（ａ）×ＩＰＣ（ｂ））が指定され、横軸として２つのキーワードをＡＮＤで組み合わせた検索式１−２〜１−ｉ（例えばＫＷ（ア）×ＫＷ（イ））が指定される。そして、縦軸と横軸の検索の集計結果を表示する各マス目１３ａには、検索式１と検索式２を満足する、すなわち検索式１と検索式２が同時に含まれる（ＡＮＤ検索した）特許出願の件数が、その件数に応じた大きさ（面積）の円１４が表示される。
【００１７】
この円１４の大きさによって、例えば円１４が大きい場合は当該マス目１３ａの出願件数が多く、円１４が小さい場合は当該マス目１３ａの出願件数が少ないと把握されることになる。この時、検索式１と検索式２を指定することで、所定の論理式を満足する集計結果がマトリクスマップ１３の各マス目１３ａに自動的に表示されることから、従来の一個の指定項目対一個の指定項目の場合のように、各マス目１３ａの表示をクリックして別途リスト等を表示させて計数したり、対象件数を絞り込んだ後に繰り返しマトリクスマップ１３を表示させることなく、複数の指定項目に対する集計結果が一度の作業で簡単かつ素早く把握できることになる。
【００１８】
なお、このマトリクスマップ１３の場合、各マス目１３ａを所定クリックすることにより、複数の指定項目に該当する一覧リストや要約リスト等が表示されるようになっており、これらのリストを使用することで特許情報のより詳細な分析が可能となる。また、各マス目１３ａに表示される円１４の内訳を図２のａに示すように、例えば自社１４ａ・他社１４ｂ等のように区分し、その占有割合を同一円１４内にそれぞれ識別表示するようにしても良いし、各マス目１３ａへの表示は、円表示に限らず、例えば図２のｂに示すように、自社１５ａ分を識別した棒グラフ１５で表示したり、レーダーチャートによる表示や数値割合を表示させるようにしても良い。
【００１９】
また、特許マップの形態としてランキングマップが指定された場合は、図３に示すようなランキングマップ１６が作成される。このランキングマップ１６は、縦軸として１個のＩＰＣ分類と１個のキーワードをＡＮＤで組み合わせて検索式１−１〜１−ｉ（例えばＩＰＣ（ａ）×ＫＷ（ア））が指定され、横軸として出願件数が指定され、各検索式に対応した集計結果が棒グラフ１７の長さで表示される。このランキングマップ１６の場合も、棒グラフ１７の中を着目項目１７ａで区画することにより、例えば自社出願の件数をハッチングで示す区画部１７ａの長さで全体の件数に対する占有割合として表示することもできる。
【００２０】
このように、上記実施形態の特許マップ表示装置１によれば、マトリクスマップ１３の縦軸や横軸あるいはランキングマップ１６の縦軸に、複数の指定項目をＡＮＤで組み合わせた検索式が指定されているため、例えば各軸２個ずつの合計４個の指定項目に該当する特許出願の件数を各マス目１３ａの円１４や棒グラフ１７として表示でき、複雑な技術集合の件数が一目で把握できて、高度な技術判断が可能となり、技術開発の細部に亘って詳細なチェック（分析）ができて、きめ細かな情報管理を行うことが可能となる。
【００２１】
また、指定項目を入力設定するだけで、自動的にマトリクスマップ１３やランキングマップ１６が表示され、このマップ１３、１６上に複数の指定項目に関する情報が一目で把握できるように表示されるため、複数の指定項目に対する全体像が一望でき、その把握（全体把握）が容易かつ的確に行えると共に、従来のような手作業や何回もマップを作成表示する必要がなくなり、特許情報の分析作業の能率向上と分析結果の信頼性向上を同時に図ることが可能となる。
【００２２】
さらに、マトリクスマップ１３の各マス目１３ａに対応する件数を示す円１４に、他の特許情報の項目を占有割合で表示させたり、各マス目１３ａに棒グラフ１５等を表示させるようにすれば、例えば一つの円１４で複数の項目を同時に把握することができる等、一層効率的な分析作業が行えると共に、表示器１１の画面１１ａ上で各種の入力操作が行われるため、操作性に優れた特許マップ表示装置１を得ることが可能となる。
【００２３】
なお、上記実施形態においては、マトリクスマップ１３の各マス目１３ａに、検索結果としての件数を表示したが、本発明はこれに限定されず、検索結果としての、例えば対象特許出願の出願番号、公開番号、登録番号、発明の名称、出願人等の所定の書誌的事項等を指定して一覧形式で表示させるようにしても良い。
【００２４】
また、上記実施形態においては、縦軸や横軸に指定される検索式が、２つの指定項目の組み合わせである場合について説明したが、３つ以上の指定項目を組み合わせた検索式でも良いし、各指定項目の組み合わせは「ＡＮＤ」に限らず、「ＯＲ」や「ＮＯＴ」等の、作成される特許マップの形態や使用（分析）目的に応じて他の適宜の論理式を採用することができる。また、検索式として使用される指定項目は、分類やキーワードに限らず、出願人や発明者等を採用することもできる。さらに、上記実施形態における特許マップ表示装置１のハード構成等も一例であって、本発明に係わる各発明の要旨を逸脱しない範囲において適宜に変更することができる。
【産業上の利用可能性】
【００２５】
本発明は、特許マップして、マトリクスマップやランキングマップの他に、折れ線グラフを使用した時系列マップ等の他の特許マップの全てに適用することができる。
【図面の簡単な説明】
【００２６】
【図１】本発明に係わる特許マップ表示装置の一例を示すブロック図
【図２】同マトリクスマップの表示状態の説明図
【図３】同ランキングマップの表示状態の説明図
【図４】従来のマトリクスマップの表示状態の説明図
【符号の説明】
【００２７】
１：特許マップ表示装置
２：制御装置
３：ＣＰＵ
４：ＲＡＭ
５：ＲＯＭ
７：Ｉ／Ｏ
８：キーボード
９：マウス
１０：ＣＤ−ＲＯＭ等ドライブ
１１：表示器
１１ａ：画面
１３：マトリクスマスマップ
１３ａ：マス目
１４：円
１５：棒グラフ
１６：ランキングマップ
１７：棒グラフ 
【図１】
2005165860.tif 000003
【図２】
2005165860.tif 000004
【図３】
2005165860.tif 000005
【図４】
2005165860.tif 000006